【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
アンテナ構造において、
（ａ）導電面と導電素子の配列とを有する高インピーダンス表面であって、前記導電素子の配列は、前記導電面から、当該アンテナ構造の作動周波数での波長の２５％未満の距離だけ離して設置され、前記導電面は開口を有する、高インピーダンス表面、および
（ｂ）前記導電面の前記導電面の配列から遠い側に、前記導電面の開口に隣接して設置されたアンテナ駆動素子であって、作動時に前記導電面の開口を介してＲＦエネルギーを供給することにより、当該アンテナ構造を励振させるアンテナ駆動素子、
を有するアンテナ構造。
【請求項２】
アンテナ構造において、
（ａ）導電面と導電素子の配列とを有する高インピーダンス表面であって、前記導電素子の配列は、前記導電面から、当該アンテナ構造の作動周波数での波長の２５％未満の距離だけ離して設置され、前記導電面は導波管開口を有する、高インピーダンス表面、および
（ｂ）前記導電面の開口と隣接して設置された導波管であって、作動時に前記導電面の導波管開口を介してＲＦエネルギーを供給することにより、当該アンテナ構造を励振させる導波管、
を有するアンテナ構造。
【請求項３】
アンテナを製作する方法であって、
（ａ）高インピーダンス表面を提供するステップであって、前記高インピーダンス表面は導電面と導電素子の配列とを有し、前記導電素子の配列は、前記導電面から、アンテナ構造の作動周波数での波長の２５％未満の距離だけ離して設置され、前記導電面は導波管開口を有する、高インピーダンス表面を提供するステップ、および
（ｂ）前記導電面の導波管開口と隣接して導波管を設置するステップ、
を有する方法。
【請求項４】
アンテナ構造において、
（ａ）導電面と導電素子の配列とを有する高インピーダンス表面であって、前記導電素子の配列は、前記導電面から、当該アンテナ構造の作動周波数での波長の２５％未満の距離だけ離して設置され、前記導電素子の配列は、前記配列内に一定のピッチで配置され、前記導電面は開口を有する、高インピーダンス表面、および
（ｂ）前記導電面の開口と隣接して設置されたアンテナ駆動素子であって、作動時に前記導電面の開口を介してＲＦエネルギーを供給することにより、当該アンテナ構造を励振させるアンテナ駆動素子、
を有し、
前記導電面の開口は、長方形状であり、当該アンテナ構造の作動周波数の一つの波長に対して、約０．５波長の第１の幅と、前記配列内の導電素子の一定のピッチ未満の第２の幅とを有することを特徴とするアンテナ構造。
【請求項５】
アンテナを製作する方法であって、
（ａ）高インピーダンス表面を提供するステップであって、前記高インピーダンス表面は導電面と導電素子の配列とを有し、前記導電素子の配列は、前記導電面から、アンテナ構造の作動周波数での波長の２５％未満の距離だけ離して設置され、前記導電面は開口を有する、高インピーダンス表面を提供するステップ、および
（ｂ）前記導電面の前記導電素子の配列から遠い側に、前記導電面の開口と隣接してアンテナ駆動素子を設置するステップ、
を有する方法。
【請求項６】
前記導電面および前記導電素子の配列は、絶縁基板の反対側に設置されることを特徴とする請求項１もしくは２に記載のアンテナ構造または請求項３乃至５のいずれかに記載の方法。
【請求項７】
前記絶縁基板は、プリント回路製造技術を利用することができ、前記導電素子の配列は、前記絶縁基板上に、プリント回路基板製造技術を用いて形成されることを特徴とする請求項６に記載の方法。
【請求項８】
前記配列内の各素子は、前記絶縁基板を貫通するように配置された導電性ビアによって、前記導電面に結合されることを特徴とする請求項６に記載のアンテナ構造または請求項６に記載の方法。
【請求項９】
前記導電素子の配列内の各導電素子は、多角形構造を有し、
前記配列内の前記導電素子は、多角形構造の規則的な繰り返しパターンで配置されることを特徴とする請求項８に記載のアンテナ構造または請求項８に記載の方法。
【請求項１０】
前記各導電素子の多角形構造は、長方形であり、あるいは前記各導電素子の多角形構造は、正方形であり、該正方形導電素子は、前記配列内に一定のピッチで配置されることを特徴とする請求項９に記載のアンテナ構造または請求項９に記載の方法。
【請求項１１】
前記導電素子の配列は、前記導電面から、当該アンテナ構造の作動周波数での波長の１０％未満の距離だけ離して設置されていることを特徴とする請求項１、２もしくは３に記載のアンテナ構造または請求項５に記載の方法。
【請求項１２】
アンテナを製作する方法であって、
（ａ）高インピーダンス表面を提供するステップであって、前記高インピーダンス表面は導電面と導電素子の配列とを有し、前記導電素子の配列は、前記導電面から、アンテナ構造の作動周波数での波長の２５％未満の距離だけ離して設置され、前記導電素子の配列は、前記配列内に一定のピッチで配置され、前記導電面は、開口を有する、高インピーダンス表面を提供するステップ、および
（ｂ）前記導電面の開口と隣接してアンテナ駆動素子を設置するステップ、
を有し、前記導電面に形成された開口は、長方形状であり、前記アンテナ構造の作動周波数の波長の約０．５倍の第１の幅と、前記配列内の導電素子の一定のピッチ未満の第２の幅とを有することを特徴とする方法。
【請求項１３】
前記導電面の開口の第２の幅は、前記配列内の隣接する導電素子同士の間の間隔にほぼ等しいことを特徴とする請求項４に記載のアンテナ構造または請求項１２に記載の方法。
【請求項１４】
前記アンテナ駆動素子は、導波管であることを特徴とする請求項４に記載のアンテナ構造または請求項１２に記載の方法。
【請求項１５】
前記導波管は、開口に隣接する壁を有し、該壁は、前記導電面の開口と位置が揃うように適合された長方形構造を有することを特徴とする請求項３もしくは１４に記載のアンテナ構造または請求項１４に記載の方法。
【請求項１６】
前記アンテナ駆動素子は、前記導電面の開口の反対側に、前記導電面から、当該アンテナ構造の作動周波数での波長の10％未満の距離だけ離して設置されたマイクロストリップ放射器であることを特徴とする請求項４に記載のアンテナ構造または請求項１２に記載の方法。
【請求項１７】
前記導電面の導波管開口は、長方形状であり、当該アンテナ構造の作動周波数の一つの波長に対して、約０．５波長の第１の幅と、前記配列内の導電素子の一定のピッチ未満の第２の幅とを有することを特徴とする請求項１０に記載のアンテナ構造。
【請求項１８】
前記導電面の導波管開口の第２の幅は、前記配列内の隣接する導電素子同士の間の間隔とほぼ等しいことを特徴とする請求項３に記載のアンテナ構造。
【請求項１９】
前記導波管駆動素子は、開口に隣接する壁を有し、該壁は、前記導電面の導波管開口と位置が揃うように適合された長方形構造を有することを特徴とする請求項２に記載のアンテナ構造。
【手続補正２】
【補正対象書類名】明細書
【補正対象項目名】０００５
【補正方法】変更
【補正の内容】
【０００５】
従来の導波管給電、開口結合スロット式またはパッチ式アンテナは、図１ｄの側面図に示されている。パッチアンテナ素子８は、背面１４の反対面に成膜され、背面には導波管２２の壁に直接結合される開口またはスロット９が設けられる。これらのアンテナは、平坦ではあるが、高いＱを有する傾向がある。すなわち、導波管２２とアンテナ８の間の良好なインピーダンス整合は、広帯域インピーダンス整合ネットワークを用いない場合、狭バンド幅においてのみ得られる。図１ｅには、１１乃至１６Ｇｈｚ（プロットＡ）の範囲の周波数における図１ｄに示す方式のアンテナの計算結果チャートを示す。このアンテナの高Ｑ特性は、明らかである。パッチアンテナはより大きく（関心周波数において、約１／２λの物理寸法を有する）、制限された空間にそのようなアンテナ配列を設置することが難しい場合がある。
【特許文献１】国際公開第ＷＯ９９／５０９２９号パンフレット
【特許文献２】米国特許第５，５７６，７１８Ａ号明細書
【特許文献３】米国特許第５，９４２，９５０Ａ号明細書
【特許文献４】米国特許第６，００８，７６２Ａ号明細書
【特許文献５】米国特許第６，０２３，２０９Ａ号明細書
【特許文献６】米国特許第６，１７５，３３７Ｂ１号明細書
【特許文献７】米国特許第６，２６２，４９５Ｂ１号明細書
【特許文献８】米国特許第６，４２６，７２２Ｂ１号明細書
【特許文献９】国際公開第ＷＯ０１／９５４３４号パンフレット
【特許文献１０】国際公開第ＷＯ０２／１０３８４６号パンフレット
【特許文献１１】米国特許第４，２６６，２０３Ａ号明細書
【特許文献１２】ドイツ国特許第１９６，００，６０９Ａ号明細書
【特許文献１３】米国特許第３，２６７，４８０Ａ号明細書